(57)【要約】【課題】輻射パネルを短時間で敷設することが可能な輻射パネル及びその敷設方法を提供する。【解決手段】輻射パネル１は、輻射面となるパネル本体２Ａと、パネル本体２Ａの裏面２１ａ側に配置され、熱媒体が流れるパイプマット３Ａと、パネル本体２Ａを既設の天井面に取り付ける取付部材４Ａと、パイプマット３Ａをパネル本体２Ａの裏面２１ａ側に押し付ける押さえ部材５とを備える。【選択図】図１
2013190138.tif 000002
【特許請求の範囲】
【請求項１】
輻射面となるパネル本体と、
前記パネル本体の裏面側に配置され、熱媒体が流れるパイプと、
前記パネル本体を既設の天井面に取り付ける取付部材とを備えた輻射パネル。
【請求項２】
前記パネル本体は、前記取付部材を前記天井面に取り付けた後、前記パイプが前記裏面側に配置された前記パネル本体を前記取付部材側に押し込むことで前記取付部材に係止する係止部を備えた請求項１に記載の輻射パネル。
【請求項３】
前記パイプを前記パネル本体の前記裏面側に押し付ける押さえ部材をさらに備えた請求項１又は２に記載の輻射パネル。
【請求項４】
前記パネル本体は、幅５０〜１５０ｃｍ、長さ１５０〜２５０ｃｍのサイズを有する請求項１乃至３のいずれか１項に記載の輻射パネル。
【請求項５】
請求項１に記載の輻射パネルを既設の天井面に敷設する方法であって、
前記既設の天井面に前記取付部材を取り付け、
前記パイプを前記裏面側に配置した前記パネル本体を前記取付部材に取り付ける輻射パネルの敷設方法。
【請求項６】
前記輻射パネルの側方の少なくとも空気の吹出口が設けられている側にロール式カーテンを設置する工程を含む請求項５に記載の輻射パネルの敷設方法。
【請求項７】
前記既設の天井面は、複数のベッドが設置された病室の天井面であり、
複数の前記輻射パネルを、前記病室の天井面の前記複数のベッドに対応するそれぞれの位置に敷設するものである請求項５又は６に記載の輻射パネルの敷設方法。
【発明の詳細な説明】
【技術分野】
【０００１】
本発明は、輻射パネル及びその敷設方法に関する。
【背景技術】
【０００２】
従来、病室等で採用されている対流式空調システムは、熱交換により冷やされた空気（冷風）を吹出口から吹き出すことにより室内を冷やし、熱交換により温められた空気（温風）を吹出口から吹き出すことにより室内を暖めていた。このような対流式空調システムでは、冷風あるいは温風の空気対流により、温度分布によるムラが生じるとともに、人体に気流が当たって過度の温冷感を与えることがある。
【０００３】
病室で長時間ベッドに寝ていなければならない環境下では、夏はエアーコンディショナーの冷風が直接体に当ると、患者は急激に熱を奪われ不快になる。このためエアーコンディショナーの設定温度を上げると、病室内で作業する看護士や医師が暑く感じる。一方、冬は、エアーコンディショナーの設定温度を病室内で作業する看護士や医師に合わせた場合、ベッドで寝ている患者は寒く感じる。
【０００４】
特に人工透析の現場では、患者は４時間〜８時間の長期間ベッドでの治療となる。透析治療においては病状による血行の悪さと血液透析で機械的に行われる温度調整によって体温調整や温度の感じ方が健常者と異なり、体表面に少しの風が当っても寒さや痛みを感じている。透析患者は現在主流のエアーコンディショナーが設置されている病室では、夏の冷房、冬の暖房に関わらず「風」による苦痛や不快を受けていることとなる。
【０００５】
そこで、近年、パネル本体の裏面にパイプを設けた輻射パネルを天井に配設し、パイプに冷水又は温水を流すことで、輻射パネルからの輻射熱によって室内を空調する輻射空調システムが提案されている（例えば、特許文献１参照）。
【先行技術文献】
【特許文献】
【０００６】
【特許文献１】特開平７−１３９７６７号公報
【発明の概要】
【発明が解決しようとする課題】
【０００７】
しかし、このような輻射空調システムを、例えば大空間の病室に設置した場合、均一な温・湿度により均一な輻射環境が得られるかもしれないが、動き回っている医療スタッフと寝た状態の患者とでは、代謝の差が大きく体感温度が大きく異なる。すなわち、例えば冷房では、代謝の低い患者は寒く感じ、代謝の高いスタッフは暑く感じ、双方が不快を感じてしまうという欠点がある。
【０００８】
また、天井側に輻射パネルを敷設する場合、天井材を取り外して行うため、工事に時間がかかるという問題がある。特に、人口透析の病院等では、治療に支障を来たさないように休日などに短時間で工事を終わらせる必要がある。
【０００９】
従って、本発明の目的は、輻射パネルを短時間で敷設することが可能な輻射パネル及びその敷設方法を提供することにある。
【課題を解決するための手段】
【００１０】
本発明の一態様は、上記目的を達成するため、輻射面となるパネル本体と、前記パネル本体の裏面側に配置され、熱媒体が流れるパイプと、前記パネル本体を既設の天井面に取り付ける取付部材とを備えた輻射パネルを提供する。
【００１１】
本発明の他の態様は、上記目的を達成するため、上記輻射パネルの敷設方法であって、前記既設の天井面に前記取付部材を取り付け、前記パイプを前記裏面側に配置した前記パネル本体を前記取付部材に取り付ける輻射パネルの敷設方法を提供する。
【発明の効果】
【００１２】
本発明によれば、輻射パネルを短時間で敷設することが可能となる。
【図面の簡単な説明】
【００１３】
【図１】図１は、本発明の第１の実施の形態に係る輻射パネルの斜視図である。
【図２】図２は、図１に示す輻射パネルの分解斜視図である。
【図３】図３は、図１のＡ部詳細図であり、（ａ）は取付部材をパネル本体に係止する前の状態を示す要部斜視図、（ｂ）は取付部材をパネル本体に係止した後の状態を示す要部斜視図、（ｃ）は（ｂ）のＢ−Ｂ線断面図である。
【図４】図４は、天井面に輻射パネルを敷設した状態を室内側から見た斜視図である。
【図５】図５（ａ）は、図４のＣ−Ｃ断面図、図５（ｂ）は、（ａ）のＤ部詳細図である。
【図６】図６は、本発明の第２の実施の形態に係る輻射パネルの分解斜視図である。
【図７】図７は、本発明の第３の実施の形態に係る輻射パネルの分解斜視図である。
【図８Ａ】図８Ａは、本発明の第４の実施の形態として、病室の天井面に複数の輻射パネルを敷設した状態を示す正面図である。
【図８Ｂ】図８Ｂは、図８ＡにおけるＥ−Ｅ方向矢視図である。
【図８Ｃ】図８Ｃは、本発明の第４の実施の形態として、病室の天井面に複数の輻射パネルを敷設した状態を示す側面図である。
【図９Ａ】図９Ａは、図８Ａ乃至図８Ｃに示す輻射パネルの周囲のロール式カーテンを下げた状態を示す正面図である。
【図９Ｂ】図９Ｂは、図８Ａ乃至図８Ｃに示す輻射パネルの周囲のロール式カーテンを下げた状態を示す側面図である。
【発明を実施するための形態】
【００１４】
以下、本発明の実施の形態について図面を参照して説明する。なお、各図中、実質的に同一の機能を有する構成要素については、同一の符号を付してその重複した説明を省略する。
【００１５】
［第１の実施の形態］
図１は、本発明の第１の実施の形態に係る輻射パネルの斜視図、図２は、図１に示す輻射パネルの分解斜視図である。
【００１６】
この輻射パネル１は、底壁２１が輻射面となるパネル本体２Ａと、パネル本体２Ａの裏面２１ａ側に配置され、水等の熱媒体が流れるパイプマット３Ａと、パネル本体２Ａを既設の天井面（図４参照）６ａに取り付ける複数の取付部材４Ａと、パイプマット３Ａをパネル本体２Ａの裏面２１ａに押し付ける複数の押さえ部材５とを備える。
【００１７】
パネル本体２Ａは、側壁２０ａ〜２０ｄと、底壁２１とを備え、上方が開放された箱型形状を有する。また、パネル本体２Ａは、輻射率の高い材料、例えば鋼材、ステンレス鋼、アルミニウム合金等の金属から形成されている。パネル本体は、例えばベッドの上に配置する場合は、幅５０〜１５０ｃｍ、長さ１５０〜２５０ｃｍのサイズが好ましい。
【００１８】
パイプマット３Ａは、熱媒体が供給される側に配置される供給側メインパイプ３０と、熱媒体が戻る側に配置される戻り側メインパイプ３１と、供給側メインパイプ３０と戻り側メインパイプ３１とを接続する複数の熱交換パイプ３２と、複数の熱交換パイプ３２を所定の間隔に保持する複数のリテーナ３３とを備える。供給側メインパイプ３０及び戻り用メインパイプ３１の端部には、それぞれコネクタ３０ａ、３１ａが設けられている。供給側メインパイプ３０のコネクタ３０ａには、図示しない熱源装置から供給側配管が接続され、戻り用メインパイプ３１のコネクタ３１ａには、熱源装置から戻り側配管が接続される。パイプマット３Ａは、例えば樹脂により形成されるが、銅等の金属により形成されてもよい。供給側メインパイプ３０及び戻り側メインパイプ３１は、熱交換パイプ３２の内径よりも大きい内径を有する。なお、本実施の形態のようにマット状のパイプマットを用いなくてもよく、同一断面形状のパイプをパネル本体２Ａの裏面２１ａ上に蛇行状に這わせてもよい。パイプマットは、パイプの一例である。
【００１９】
熱源装置は、温度及び流量を制御して熱媒体を、図１の矢印で示すように、供給側配管及びコネクタ３０ａを介して供給側メインパイプ３０に供給するものであり、供給側メインパイプ３０に供給された熱媒体は、複数の熱交換パイプ３２を循環した後、戻り側メインパイプ３１、コネクタ３１ａ及び戻り側配管を介して熱源装置に戻るように構成されている。
【００２０】
取付部材４Ａは、主板部４０と、主板部４０の両側に折曲して形成された一対の側板部４１とを備える。取付部材４Ａをパネル本体２Ａの内側に収容できるように、取付部材４Ａの側板部４１間の外側の幅は、パネル本体２Ａの側壁２１０ｂ、２０ｄ間の内側の幅よりも僅かに小さく形成されている。取付部材４Ａは、例えば鋼材等の金属から形成されている。
【００２１】
押さえ部材５は、発泡スチロール、発泡ポリウレタン等の合成樹脂発泡体、ゴム等のパッドを用いることができる。本実施の形態では、直方体形状を有する発泡体を用いる。輻射パネル１を天井面（図４参照）６ａに取り付けたときに天井面６ａとパネル本体２Ａとの間に挟まれて圧縮する。押さえ部材５は、圧縮したときの反発力でパイプマット３Ａをパネル本体２Ａの裏面２１ａ側に押し付け、パイプマット３Ａとパネル本体２Ａを密着させ良好に熱交換させる。押さえ部材５は、弾性部材の一例である。
【００２２】
（取付部材の係止構造）
図３は、図１のＡ部詳細図であり、（ａ）は取付部材４Ａをパネル本体２Ａに係止する前の状態を示す要部斜視図、（ｂ）は取付部材４Ａをパネル本体２Ａに係止した後の状態を示す要部斜視図、（ｃ）は（ｂ）のＢ−Ｂ線断面図である。
【００２３】
取付部材４Ａの側板部４１には、三角形状の係止片４２が両側に突出するように形成されている。パネル本体２Ａの側壁２０ｂ、２０ｄ（図３では、一方の側壁２０ｂのみを図示する。）には、取付部材４Ａの係止片４２が係止する矩形状の開口部２２が形成されている。開口部２２及び係止片４２は、それぞれ係止部の一例である。例えば、取付部材４Ａ側を開口部とし、パネル本体２Ａ側を係止片としてもよい。
【００２４】
取付部材４Ａをパネル本体２Ａに係止するためには、図３（ａ）に示すように、取付部材４Ａをパネル本体２Ａ内に収容するように差し込むと、図３（ｂ）、（ｃ）に示すように、取付部材４Ａの係止片４２が内側に弾性変形した後、パネル本体２Ａの開口部２２に入り込むことで、係止片４２が開口部２２に係止する。
【００２５】
（輻射パネルの敷設方法）
次に、図４、図５を参照して輻射パネル１の敷設方法の一例について説明する。図４は、天井面６ａに輻射パネル１を敷設した状態を室内側から見た斜視図、図５（ａ）は、図４のＣ−Ｃ断面図、図５（ｂ）、（ａ）のＤ部詳細図である。
【００２６】
天井材６は、例えば格子状に組み付けられた天井下地材６０と、天井下地材６０に取り付けられた天井仕上材６１とを備える。天井下地材６０は、例えば鋼材等の金属から形成された野縁が用いられる。天井仕上材６１は、例えば岩綿吸音板や化粧石膏ボード等が用いられる。天井下地材６０は、天井支持部材７によってスラブに支持されている。
【００２７】
天井支持部材７は、スラブに取り付けられた吊りボルト７１と、天井下地材６０を吊りボルト７１に係止する係止具７２ａ、７２ｂとを備える。
【００２８】
以上のように構成された天井材６の天井面６ａの所定の位置、例えばベッドの真上に取付部材４Ａを取り付ける。具体的には、取付部材４Ａの主板部４０の複数の箇所を天井仕上材６１を介して天井下地材６０にタップビス４７により取り付ける。なお、取付部材４Ａの主板部４０に取付用の穴を予め形成しておいてもよい。
【００２９】
次に、パイプマット３Ａをパネル本体２Ａの裏面２１ａに配置し、パイプマット３Ａ上に押さえ部材５を配置する。当然、押さえ部材５とパイプマット３Ａを配置したパネル本体２Ａを工場で組み立ててもよい。
【００３０】
次に、パイプマット３Ａ及び押さえ部材５とともにパネル本体２Ａを、天井材６に取り付けられた取付部材４Ａに押し込むと、取付部材４Ａの係止片４２がパネル本体２Ａの開口部２２に係止する。
【００３１】
天井材６の裏側でパイプマット３Ａのコネクタ３０ａ、３１ａに熱源装置からの配管３４を接続する。なお、熱源装置からの配管３４は、天井面６ａに沿わせてもよい。以上のようにして輻射パネル１を既設の天井材６に敷設する。
【００３２】
（第１の実施の形態の効果）
第１の実施の形態によれば、以下の効果を奏する。
（ア）本輻射パネル１を用いることで、従来のように既存の天井を解体して新たに輻射パネルによる天井を形成しなくても輻射空調環境を作ることができるので、輻射パネル１を短時間で敷設することができる。
（イ）天井仕上材６１を断熱材として利用できるので、従来のように輻射パネルの裏側に断熱材を設ける必要がないため、天井面６ａからの突出量の少なく、薄く軽量な輻射パネルを提供することができる。
（ウ）取付部材４Ａとパネル本体２Ａとの接続に係合構造を採用しているので、輻射パネル１の天井面６ａへの敷設が容易に行える。
【００３３】
［第２の実施の形態］
図６は、本発明の第２の実施の形態に係る輻射パネルの分解斜視図である。本実施の形態は、第１の実施の形態の押さえ部材５の代わりにばね部材８を用いた点が第１の実施の形態との主な相違点である。
【００３４】
本実施の形態は、第１の実施の形態と同様のパネル本体２Ｂ、パイプマット３Ｂ及び取付部材４Ｂと、ばね部材８とを備える。
【００３５】
本実施の形態のパネル本体２Ｂは、第１の実施の形態と同様に、側壁２０ａ〜２０ｄ及び底壁２１を備えるが、一つの側壁２０ｃの両側にパイプマット３Ｂのコネクタ３０ａ、３１ａとの干渉を避けるための切り欠き２０ｅが形成されている。
【００３６】
パイプマット３Ｂは、第１の実施の形態と同様に、供給側メインパイプ３０、戻り側メインパイプ３１、熱交換パイプ３２、リテーナ３３及びコネクタ３０ａ、３１ａを備えるが、コネクタ３０ａ、３１ａの向きが横方向となっている。
【００３７】
取付部材４Ｂは、上壁４３と、側壁４４ａ〜４４ｄとを備え、下方が開放された箱型形状を有する。取付部材４Ｂの上壁４３に、軽量化のために複数の開口部４３ａが形成され、開口部４３ａが形成されていない上壁４３の箇所に座板４５を接合し、上壁４３及び座板４５を貫通するタップビス４７用の取付穴４６が形成されている。
【００３８】
ばね部材８は、山形状に形成された主板部８０と、下側に折り曲げられた複数の板ばね部８１とを備え、主板部８０及び板ばね部８１全体として上下方向にばね性を有する。ばね部材８は、鋼材等の金属、樹脂等から形成される。ばね部材８は、押さえ部材及び弾性部材の一例である。
【００３９】
取付部材４Ｂのパネル本体２Ｂへの係止構造や、輻射パネル１の敷設方法は、第１の実施の形態と同様であるので、説明を省略する。
【００４０】
（第２の実施の形態の効果）
第２の実施の形態によれば、以下の効果を奏する。
（ア）第１の実施の形態と同様に、輻射パネル１を短時間で敷設することができる。
（イ）コネクタ３０ａ、３１ａが横に向いたパイプマット３Ｂを用いているため、熱源装置からの配管３４を天井面６ａに沿わせ易くなる。
（ウ）取付部材４Ｂが第１の実施の形態の取付部材４Ａと比べて剛性が高いため、幅広の輻射パネル１に適用することができる。
【００４１】
［第３の実施の形態］
図７は、本発明の第３の実施の形態に係る輻射パネルの分解斜視図である。本実施の形態は、取付部材は第２の実施の形態のものを用い、弾性部材は第１の実施の形態のものを用いた点が第１及び第２の実施の形態との主な相違点である。
【００４２】
本実施の形態は、第１の実施の形態と同様に、パネル本体２Ａ、パイプマット３Ａ及び押さえ部材５を備え、第２の実施の形態と同様に、取付部材４Ｃを備える。
【００４３】
本実施の形態の取付部材４Ｃは、第２の実施の形態と同様に、上壁４３と、側壁４４ａ〜４４ｄとを備え、側壁４４ｃに切り欠き４４ｅが形成され、下方が開放された箱型形状を有する。取付部材４Ｃの上壁４３に、軽量化のために複数の開口部４３ａが形成され、開口部４３ａが形成されていない上壁４３の箇所に座板４５を接合し、上壁４３及び座板４５を貫通する取付穴４６が形成されている。取付部材４Ｃに切り欠き４４ｅを設けることによってパイプマット３Ａのコネクタ３０ａ、３１ａへの配管３４との干渉を避けられる。
【００４４】
取付部材４Ｃのパネル本体２Ａへの係止構造や、輻射パネル１の敷設方法は、第１の実施の形態と同様であるので、説明を省略する。
【００４５】
（第３の実施の形態の効果）
第３の実施の形態によれば、以下の効果を奏する。
（ア）第１の実施の形態と同様に、輻射パネル１を短時間で敷設することができる。
（イ）取付部材４Ｃが第１の実施の形態の取付部材４Ａと比べて剛性が高いため、幅広の輻射パネル１に適用することができる。
（ウ）取付部材４Ｃに切り欠き４４ｅを設けたので、パイプマット３Ａのコネクタ３０ａ、３１ａへの干渉を避けることができる。
【００４６】
［第４の実施の形態］
図８Ａ乃至図８Ｃは、本発明の第４の実施の形態として、病室の天井面６ａに複数の輻射パネル１を敷設した状態を示し、図８Ａは正面図、図８Ｂは図８ＡにおけるＥ−Ｅ方向矢視図、図８Ｃは側面図である。
【００４７】
図８Ｃに示す病室の床面ＦＬ上には、ベッド１００が二列で配列されている。また、病室内のスタッフが移動する領域の天井面６ａには、エアーコンディショナーの吹出口１０１が設けられている。
【００４８】
本実施の形態は、病室の天井面６ａのベッド１００のほぼ真上に輻射パネル１を並べて敷設し、輻射パネル１の周囲にロール式カーテン９を配置したものである。なお、輻射パネル１の位置は、必ずしもベッド１００の真上でなくてもよく、ベッド１００に近くでもよい。
【００４９】
吹出口１０１側のロール式カーテン９は、吊り具１０によって天井面６ａから吊り下げられている。他のロール式カーテン９は、天井面６ａに設けられている。なお、吹出口１０１側のロール式カーテン９を天井面６ａに直接設けてもよい。また、輻射パネル１がベッド１００よりも広い場合には、ロール式カーテン９を輻射パネル１の側面に取り付けてもよい。
【００５０】
ロール式カーテン９は、巻き取り軸９０にカーテン９１を巻き取り及び引出し可能に連結して構成されている。カーテン９１は、エアーコンディショナーや天井に設けられた吹出口からの空気流がベッド１００に寝ている患者に当たるのを抑制することができるものであれば、材質やサイズ等は問わない。カーテン９１は、例えば、完全に気流を遮断するものでもよく、エアーコンディショナーの風を患者が感じない程度で微風を通すことのできる通気性を有する布目の粗い素材でもよい。また、カーテン９１は、患者のプライバシー保護のために中が見えないようにするものや、看護士が患者の状態や機器の状態を監視することのできるレース素材など外側からベッド１００上に居る者のシルエットがぼんやり視認可能な程度の光透過性を有するのが好ましい。このロール式カーテン９は、気流遮蔽部材の一例である。
【００５１】
なお、気流遮蔽部材としては、ロール式カーテン９の他に、横引き式のカーテンでもよく、板部材でもよい。カーテン９１は、複数の種類のカーテンを組み合わせて通気性を調整できるようにしてもよい。
【００５２】
図９Ａ及び図９Ｂは、図８Ａ乃至図８Ｃに示す輻射パネル１の周囲のロール式カーテンを下げた状態を示し、図９Ａは正面図、図９Ｂは側面図である。吹出口１０１側のロール式カーテン９を下げることより、吹出口１０１からの風１０１ａをカーテン９１によって遮ることができる。また、ベッド１００間のロール式カーテン９によってある程度プライバシーを守ることができる。
【００５３】
（第４の実施の形態の効果）
第４の実施の形態によれば、以下の効果を奏する。
（ア）本輻射パネル１を用いることで、従来のように既存の天井を解体して新たに輻射パネルによる天井を形成しなくても輻射空調環境を作ることができるので、個人毎に快適な空調環境を簡易に作り出すことが可能となる。
（イ）エアーコンディショナーや天井の吹出口１０１からの風１０１ａをロール式カーテン９によって遮ることができるので、風の無い快適な空調空間を提供することができ、ベッド１００の上に快適に寝ていられる。
（ウ）カーテン９１でエアーコンディショナーからの風を遮蔽した環境内において、ベッド１００に寝ている患者からの熱のやり取りは輻射パネル１で行うため、風のない快適な空調環境を作り出すことができ、夏は冷房、冬は暖房の環境を作り出すことができる。
【００５４】
なお、本発明は、上記各実施の形態に限定されず、その要旨を変更しない範囲内で種々に変形実施が可能である。例えば、取付部材又はパネル本体に天井面に取り付けるための鍔を設けることにより、予め取付部材、パイプマット及びパネル本体を組み立てて輻射パネルを完成させた後、これを天井面に取り付けてもよい。
【００５５】
押さえ部材として、第１の実施の形態では、パッドを用い、第２の実施の形態では、ばね部材を用いたが、パイプマットをパネル本体の裏面の側に押し付けることができれば、線材用の押さえ部材等を用いてもよい。
【００５６】
また、輻射パネルにＬＥＤ（Light Emitting Diode）等のダウンライトを取り付けてもよい。
【００５７】
さらに、第４の実施の形態では、ベッド１００の直上に輻射パネル１を敷設したが、輻射による効果を高めるために、ベッド１００の直上以外の箇所にも輻射パネル１を敷設してもよい。
【００５８】
また、本発明の要旨を変更しない範囲内で上記各実施の形態の構成要素のうち一部を除くことも可能である。例えば、パイプマットの伝熱性能が問題にならない場合には、押さえ部材５や板ばね８を省くことも可能である。
【符号の説明】
【００５９】
１…輻射パネル、２Ａ、２Ｂ…パネル本体、３Ａ、３Ｂ…パイプマット、４Ａ、４Ｂ、４Ｃ…取付部材、５…押さえ部材、６…天井材、６ａ…天井面、７…天井支持部材、８…ばね部材、９…ロール式カーテン、１０…吊り具、２０ａ〜２０ｄ…側壁、２０ｅ…切り欠き、２１…底壁、２１ａ…裏面、２２…開口部、３０…供給側メインパイプ、３０ａ…コネクタ、３１…戻り側メインパイプ、３１ａ…コネクタ、３２…熱交換パイプ、３３…リテーナ、３４…配管、４０…主板部、４１…側板部、４２…係止片、４３…上壁、４３ａ…開口部、４４ａ〜４４ｄ…側壁、４４ｅ…切り欠き、４５…座板、４６…取付穴、４７…タップビス、６０…天井下地材、６１…天井仕上材、７１…吊りボルト、７２ａ、７２ｂ…係止具、８０…主板部、８１…ばね部、９０…巻き取り軸、９１…カーテン、１００…ベッド、１０１…吹出口、１０１ａ…風、ＦＬ…床面
【図１】
2013190138.tif 000003
【図２】
2013190138.tif 000004
【図３】
2013190138.tif 000005
【図４】
2013190138.tif 000006
【図５】
2013190138.tif 000007
【図６】
2013190138.tif 000008
【図７】
2013190138.tif 000009
【図８Ａ】
2013190138.tif 000010
【図８Ｂ】
2013190138.tif 000011
【図８Ｃ】
2013190138.tif 000012
【図９Ａ】
2013190138.tif 000013
【図９Ｂ】
2013190138.tif 000014